(57)【要約】【課題】簡単な形状、構造で形成でき、設備費が安価な底面潅水栽培用の給水パネル、潅水栽培用ポット及び栽培システムを提供すること。【解決手段】底面潅水用給水パネル１は、給水液を供給するドロッパー５が所定間隔をおいて複数個設置された１乃至複数本の給水チューブ４が配設され、給水パネル１に載置された複数の栽培ポットに給水液を供給するものであって、ドロッパー５が設置された位置のそれぞれから延設されるとともに分岐されて潅水路を形成する潅水溝３と、潅水溝の端部に栽培ポット設置部６と、が設けられている。【選択図】図１
2008220266.tif 000002
【特許請求の範囲】
【請求項１】
給水液を供給するドロッパーが所定間隔をおいて複数個設置された１乃至複数本の給水チューブが配設され、パネルに載置された複数の栽培ポットに給水液を供給する底面潅水用給水パネルであって、前記ドロッパーが設置された位置のそれぞれから延設されるとともに分岐されて潅水路を形成する潅水溝と、該潅水溝の端部に設けられた栽培ポット設置部と、が設けられていることを特徴とする底面潅水用給水パネル。
【請求項２】
前記ドロッパーは前記給水液を間断的に供給するように制御され、前記ドロッパーが設置された位置には前記ドロッパーから供給される給水液を受ける点滴受け溝が設けられていることを特徴とする請求項１に記載の底面潅水用給水パネル。
【請求項３】
前記潅水溝は前記ドロッパーが設置された位置から前記栽培ポット設置部に向かって低くなるように傾斜していることを特徴とする請求項１に記載の底面潅水用給水パネル。
【請求項４】
前記栽培ポット設置部は前記潅水溝よりも低い窪みから形成され、その底面には水抜き孔が設けられ、該底面から所定高さ離れた側面にはオーバーフロー孔が設けられていることを特徴とする請求項１に記載の底面潅水用給水パネル。
【請求項５】
前記栽培ポット設置部は、複数の隣接する他の前記栽培ポット設置部との距離が同一となるように配設されていることを特徴とする請求項１に記載の底面潅水用給水パネル。
【請求項６】
前記栽培ポット設置部近傍と前記潅水溝の近傍を除く領域には通気用貫通孔が設けられていることを特徴とする請求項１に記載の底面潅水用給水パネル。
【請求項７】
板状の耐水性を備える合成樹脂材をプレス加工して形成したことを特徴とする請求項１〜６の何れかに記載の底面潅水用給水パネル。
【請求項８】
前記請求項１〜７の何れかに記載の底面潅水用給水パネルに設けられた複数の栽培ポット設置部に載置されて使用される栽培ポットであって、上部が開口し、底面に排水孔が設けられ、該底面から立設する側壁の所定高さ離れた位置には潅水用の孔又はスリットが設けられていることを特徴とする栽培ポット。
【請求項９】
前記請求項１〜７の何れかに記載の底面潅水用給水パネルに設けられた複数の栽培ポット設置部に前記請求項８に記載の栽培ポットを載置し、該栽培ポットに前記ドロッパーから供給される給水液を前記潅水溝を介して供給することにより、前記栽培ポットに植えられた植物の栽培を行うことを特徴とする栽培システム。
【請求項１０】
前記底面潅水用給水パネルはその一側端同士を連結して使用することが可能であることを特徴とする請求項９に記載の栽培システム。
【請求項１１】
前記底面潅水用給水パネルは所定高さの架台上に載置され、前記底面潅水用パネルの下部を覆うように排水受けが設けられていることを特徴とする請求項９又は１０に記載の栽培システム。
【発明の詳細な説明】
【技術分野】
【０００１】
本発明は、架台に載置して育苗等に用いられる育苗床パネルに関し、栽培ポット底面から潅水する底面潅水用給水パネル及び同パネル用の栽培ポットに関する。また、この底面潅水用給水パネル及び同パネル用の栽培ポットを用いた栽培システムに関するものである。
【背景技術】
【０００２】
これまで、一般的に行なわれてきたスプリンクラーなどで植物の上方から潅水する頭上潅水は、設備面でのイニシャルコストが少なくてすむことや、施工が容易であることから最も普及している。しかし、頭上潅水を自然界での植物に対する給水に例えると、毎日降雨に遭遇しているようなもので、長雨で植物がだめになることを考えると、決して自然な状態とは言えない。さらに頭上潅水では給水むらが生じ、これを補正するため潅水に手間を取られるばかりか過潅水になりやすい。また、水滴の飛散により菌体や胞子が飛んで病害が蔓延したりして、散水により病気の部分が広がることによる問題も多い。また、生育が進み葉が茂ると、水がポット内に入り難い。また、育苗培土の温度が高温となって根腐れも発生しやすく、よい苗の育成が困難である。以上の問題の中で、最大の問題である給水むらを解決するためには、自走式のスプリンクラーを採用すれば均一な潅水が可能であるが、高額の初期投資が必要になる上、頭上潅水にともなう問題を解決することはできない。
【０００３】
そこで頭上潅水ではなく植物の根元への点滴潅水の育苗装置として、下記特許文献１（特開２００６−２８８３９２号公報）に開示されたものがある。この育苗装置は、図９に示すように、種苗８４を植え付けする培地８３を充填する収納部８２を複数形成したセルトレー８１と、セルトレー８１の上面に被せられる保水性シート８５と、保水性シートに水分を供給するための潅水具８６とを備える。保水性シート８５は、各セルトレー８１に設けている各々の収納部８２の開口部内に位置する点滴部８７を備え、開口部に位置する点滴部８７が、保水性シート８５に供給される水を収納部８２に滴下することにより給水を行う。潅水具８６は保水性シートの上に配置した潅水ホース８６Ａであり、所定の間隔で水平乃至下向きに開口された給水口８８を備え、保水性シート８５に給水する。
【０００４】
しかしながら、保水性シートは培地８３の上を覆って培地に水を滴下供給するので、培地の状況が異なると、給水は一定しない。給水は培地の上からなされるので底面給水とは異なり、自然状態における給水とは異なる。培地が地面から離されかつ培地の容積が小さいため周囲温度の影響を受けやすく，暑い夏季には高温となって酸欠を起こしやすくなり、根腐れを起こしやすい。また、潅水ホースは、保水性シートの上に配設されるので、給水圧や風などによって動き、位置が安定しない。
【０００５】
これに対し、植物の根への給水方法である底面・点滴潅水は、自然状態に近い潅水方法と言うことができるが、従来の方法では設備・資材費が高く、施工も難しいので普及が進んでいない。
【０００６】
【特許文献１】特開２００６−２８８３９２号公報（要約、段落［０００９］、［００１０］、［００４０］、図３）
【発明の開示】
【発明が解決しようとする課題】
【０００７】
すなわち、従来の底面潅水である水耕栽培技術においては、大型の水槽と培養液の循環設備を使用するため、大がかりな設備装置が必要となり高価であり、メンテナンスにもかなりの費用がかかる。また、大型の水槽を使用するために培養液の使用量が多くなり、無駄も多くなる。さらに、育苗ポットが常時培養液に浸されているので、苗が根腐れを起こさないよう、ポンプを常に運転させ培養液を循環させて管理しなければならず、このために電気代等の運用費がかさむ。
【０００８】
従って、本発明はイニシャルコストを抑えながら、従来の底面潅水方法の問題点を解決した安価な給水パネル及び同パネルに使用される栽培ポット並びにそれらを用いた栽培システムを提供せんとするものである。
【０００９】
本願の発明者は、前記の問題点を解消すべく種々検討を行った結果、栽培方法として滴下した培養液の供給を栽培ポットの底面から潅水することとし、かつ育苗床となる給水パネルを簡単な構造とし、給水を給水チューブとドロッパーによって行なうと、設備費が安く培養液の消費量の少ない経済的な栽培システムを提供でき、上述の問題が解決できることを見出して本発明を完成するに至ったもので、上述した従来からの問題点に鑑み、本発明の目的は以下の通りである。
【００１０】
本発明は、底面潅水栽培用の安価な給水パネルを供給すること、すなわち、底面潅水用給水パネルは簡単な形状、構造で形成でき、設備費が安価なものを提供することを目的とする。
【００１１】
また、本発明は、上記底面潅水用給水パネルに使用される栽培ポットを提供することを目的とする。
【００１２】
さらにまた、本発明は、培養液の無駄がなく、使用する培養液を少なくすることができ、維持費が安価ですむ底面潅水栽培システムを提供しようとするものである。
【課題を解決するための手段】
【００１３】
前記課題を解決するために、本願の請求項１に係る発明は、底面潅水用給水パネルにおいて、給水液を供給するドロッパーが所定間隔をおいて複数個設置された１乃至複数本の給水チューブが配設され、パネルに載置された複数の栽培ポットに給水液を供給する底面潅水用給水パネルであって、前記ドロッパーが設置された位置のそれぞれから延設されるとともに分岐されて潅水路を形成する潅水溝と、該潅水溝の端部に設けられた栽培ポット設置部と、が設けられていることを特徴とするものである。
【００１４】
請求項２に記載の発明は、請求項１に記載の底面潅水用給水パネルにおいて、前記ドロッパーは前記給水液を間断的に供給するように制御され、前記ドロッパーが設置された位置には前記ドロッパーから供給される給水液を受ける点滴受け溝が設けられていることを特徴とする。
【００１５】
請求項３に記載の発明は、請求項１に記載の底面潅水用給水パネルにおいて、前記潅水溝は前記ドロッパーが設置された位置から前記栽培ポット設置部に向かって低くなるように傾斜していることを特徴とする。
【００１６】
請求項４に記載の発明は、請求項１に記載の底面潅水用給水パネルにおいて、前記栽培ポット設置部は前記潅水溝よりも低い窪みから形成され、その底面には水抜き孔が設けられ、該底面から所定高さ離れた側面にはオーバーフロー孔が設けられていることを特徴とする。
【００１７】
請求項５に記載の発明は、請求項１に記載の底面潅水用給水パネルにおいて、前記栽培ポット設置部は、複数の隣接する他の前記栽培ポット設置部との距離が同一となるように配設されていることを特徴とする。
【００１８】
請求項６に記載の発明は、請求項１に記載の底面潅水用給水パネルにおいて、前記栽培ポット設置部近傍と前記潅水溝の近傍を除く領域には通気用貫通孔が設けられていることを特徴とする。
【００１９】
請求項７に記載の発明は、請求項１〜６の何れかに記載の底面潅水用給水パネルにおいて、板状の耐水性を備える合成樹脂材をプレス加工して形成したことを特徴とする。
【００２０】
請求項８に記載の発明は、栽培ポットであって、前記請求項１〜７の何れかに記載の底面潅水用給水パネルに設けられた複数の栽培ポット設置部に載置されて使用される栽培ポットであって、上部が開口し、底面に排水孔が設けられ、該底面から立設する側壁の所定高さ離れた位置には潅水用の孔又はスリットが設けられていることを特徴とする。
【００２１】
請求項９に記載の発明は、栽培システムであって、前記請求項１〜７の何れかに記載の底面潅水用給水パネルに設けられた複数の栽培ポット設置部に前記請求項８に記載の栽培ポットを載置し、該栽培ポットに前記ドロッパーから供給される給水液を前記潅水溝を介して供給することにより、前記栽培ポットに植えられた植物の栽培を行うことを特徴とするものである。
【００２２】
請求項１０に記載の発明は、請求項９に記載の栽培システムにおいて、前記底面潅水用給水パネルはその一側端同士を連結して使用することが可能であることを特徴とする。
【００２３】
請求項１１に記載の発明は、請求項９又は１０に記載の栽培システムにおいて、前記底面潅水用給水パネルは所定高さの架台上に載置され、前記底面潅水用パネルの下部を覆うように排水受けが設けられていることを特徴とする。
【発明の効果】
【００２４】
請求項１の発明によれば、底面潅水用給水パネルは、その上面に、給水液を供給するドロッパーが所定間隔をおいて複数個設置された１乃至複数本の給水チューブが配設され、パネルに載置された複数の栽培ポットに給水液を供給するものであって、潅水路を形成する潅水溝がドロッパーの設置された位置のそれぞれから延設されるとともに分岐されており、各潅水溝の端部に栽培ポット設置部が設けられている。このような構成であるので、パネルの構造は簡単で安価であり、かつ給水も給水チューブとドロッパーを介して行なわれるので、配設が容易であり、建設費は安価である。
【００２５】
請求項２の発明によれば、請求項１に記載の底面潅水用給水パネルにおいて、ドロッパーは給水液を所定のタイミングで間断的に供給するように制御され、ドロッパーが設置された位置にはドロッパーから供給される給水液を受ける点滴受け溝が設けられているので、滴下した給水液は点滴受け溝に確実に受けてから潅水溝に流れて栽培ポット部に供給される。従って、給水液が外にこぼれることがなく無駄が出ないので維持費は安価である。また点滴受け溝には給水チューブとドロッパーをはめ込んで保持できるので、給水管の配管が容易であり、給水時の水圧や風により位置ずれを起こすことがない。
【００２６】
請求項３の発明によれば、底面潅水用給水パネルの潅水溝は、ドロッパーが設置された位置から栽培ポット設置部に向かって低くなるように傾斜しているので、給水液が停滞することなく栽培ポット部に流れ供給される。
【００２７】
請求項４の発明によれば、底面潅水用給水パネルの栽培ポット設置部は、潅水溝よりも低い窪みから形成され、その底面には水抜き孔が設けられ、底面から所定高さ離れた側面にはオーバーフロー孔が設けられているので、栽培ポット設置部に溜まった給水液はこれらの孔から適度に抜けるから栽培ポットに植えられている植物の根腐れを抑止することができる。
【００２８】
請求項５の発明によれば、底面潅水用給水パネルにおいて、栽培ポット設置部は、複数の隣接する他の前記栽培ポット設置部との距離が同一となるように配設されているので、日照が均等になり栽培植物の生育が平均化する。
【００２９】
請求項６の発明によれば、底面潅水用給水パネルにおいて、栽培ポット設置部近傍と潅水溝の近傍を除く領域には通気用貫通孔が設けられているので、パネルの上下の通気性が向上して蒸れが防止でき、蒸れによる病害の発生を抑制できる。
【００３０】
請求項７の発明によれば、底面潅水用給水パネルは、板状の耐水性を備える合成樹脂材をプレス加工して形成したので、製造が簡単で安価に得られかつ軽量であって運搬設置に便利である。
【００３１】
請求項８の発明によれば、本発明の底面潅水用給水パネルに設けられた複数の栽培ポット設置部に載置されて使用される栽培ポットは、上部が開口し、底面に排水孔が設けられ、側壁の底面から所定の高さ離れた位置には潅水用の孔又はスリットが設けられているので、底面からの給水に便利でかつ排水もよく栽培植物の根腐れ防止に好適である。
【００３２】
請求項９の発明によれば、栽培システムであって、前記請求項１〜７の何れかに記載の底面潅水用給水パネルに設けられた複数の栽培ポット設置部に前記請求項８に記載の栽培ポットを載置し、該栽培ポットにドロッパーから供給される給水液を潅水溝を介して供給することにより、栽培ポットに植えられた植物の栽培を行うので、給水液も少なくてすみ経済的である。
【００３３】
請求項１０の発明によれば、請求項９に記載の栽培システムにおいて、底面潅水用給水パネルはその一側端同士を連結して使用することが可能であるので、所要枚数連結し、必要な規模に展開して栽培することができ、栽培規模の変更が簡単に行なえる。
【００３４】
請求項１１の発明によれば、請求項９又は１０に記載の栽培システムにおいて、底面潅水用給水パネルは所定高さの架台上に載置され、底面潅水用パネルの下部を覆うように排水受けが設けられているので、廃液の処理が容易である。また、給水パネルの下に培土や余水がこぼれるのを防ぎ、それによって生える雑草を減らし、雑草の種子が栽培ポットに進入するのを防ぐとともに雑草が害虫の発生源となるのを防止できる。
【発明を実施するための最良の形態】
【００３５】
以下、図面を参照して本発明の最良の実施形態を説明する。但し、以下に示す実施形態は、本発明の技術思想を具体化するための底面潅水用給水パネルと同パネル用の栽培ポット並びにこれらを利用した栽培システムを例示するものであって、本発明をこれらに特定することを意図するものではなく、特許請求の範囲に含まれるその他の実施形態のものも等しく適応し得るものである。
【実施例】
【００３６】
図１は本発明に係る底面潅水栽培方法の１実施例に使用する給水パネルの平面図である。図２は本発明に係る底面潅水栽培方法の他の実施例に使用する給水パネルの平面図である。図３は本発明に係る底面潅水栽培方法の他の実施例の平面図であって、図１の底面給水栽培用給水パネルを複数枚連結して使用するものを示したものである。図４は栽培ポット設置部の構造を説明する実施例断面図、図５は同じく栽培ポット設置部の構造を説明する他の実施例断面図である。図６及び図７は栽培ポットの構造を説明する側面図及び底面図である。また、図８は本発明の栽培システムにおける排水受けの１実施例説明図であって、同図（ａ）は正面図、同図（ｂ）は側面図である。
【００３７】
この底面潅水栽培システムは、所定寸法の横幅、長さ及び厚みを有する合成樹脂や合成紙などのパネル２から形成された底面潅水用給水パネル（以下、給水パネルという）１に、複数の栽培ポットを載置し、給水チューブ４から潅水溝３を介して栽培ポットに給水液を所定のタイミングで間断的に供給するものである。この給水パネル１は、通常は、高架床台８に載置されて使用される。
【００３８】
図１について説明すると、給水パネル１は、例えば、幅９０ｃｍ、長さ１２０ｃｍのように、所定の横幅、長さを有する矩形状支持板本体をなすパネル２の表面に、プレスによって長さ方向に形成された潅水溝３が設けられ、潅水溝３の端部には栽培ポット設置部６が設けられている。潅水溝３は、給水パネル１の幅方向に略平行に複数本（３ａ、３ｂ、３ｃ・・・３ｈの計８本）形成され、さらに潅水溝３ａから潅水溝３ｈにかけてそれぞれの潅水溝を直交するように形成された連通用の潅水溝３ｘが設けられている。このように、潅水溝３ａ〜３ｈと潅水溝３ｘは縦横の梯子状潅水路を形成し、潅水溝３ａ〜３ｈの端部に設けた栽培ポット設置部６には栽培ポット７が設置される。栽培ポット設置部６は、育苗ができるだけ均等になるようにするため、複数の隣接する他の栽培ポット設置部６との距離が同一となるように配設されている。上述した潅水溝３と栽培ポット設置部６は一つのグループを構成しており、給水パネル１には同様のグループが複数長さ方向にわたって並設される。尚、図１においては上述のグループが４つ設けられている。
【００３９】
連通用の潅水溝３ｘの上方所定箇所には、ドロッパー５が設置される。また、連通用潅水溝３ｘの、ドロッパー５が設置された部位には点滴受け溝９が設けられる。ドロッパー５には、給水チューブ４（図３参照）が接続される。これにより、給水液は、給水チューブ４からドロッパー５へ供給され、ドロッパー５から点滴受け溝９に滴下され、点滴受け溝９から連通用の潅水溝３ｘを通り、さらにそれぞれの潅水溝３ａ〜３ｈに分岐され、栽培ポット設置部６へ給水される。ドロッパー５から点滴受け溝９に給水液を一度溜めてから潅水溝３に流すようにすると、ドロッパー５から潅水溝３へ直接給水するのに比較して、確実に無駄なく給水できる。そして、図４に示したように、給水チューブ４とドロッパー５を点滴受け溝９の中に収納すると、給水チューブ４に加わる水圧や風圧によって給水チューブが暴れたり移動したりすることがない。点滴受け溝９は、連通用の潅水溝３をドロッパー５の位置で少し広くなるように形成しておけば、給水液をこぼすことが少なくなる。
【００４０】
また、給水パネル１は、図４に示したように、潅水溝３を平坦に形成する場合には金型代が安価になり、また給水パネル１には既存のセルトレーや小深トレーをおくことができる。しかし、図５に示すように、潅水溝３をドロッパー５が設置された位置から栽培ポット設置部６に向かって低くなるように傾斜させてあると、潅水溝３を通じて水や培養液が円滑に供給できるし、その逆流を防ぐことができる。
【００４１】
次に、栽培ポット設置部６について主に図４および図５を参照して詳しく説明する。栽培ポット設置部６は、潅水溝３よりも低く窪むようにして形成され、その底面６ａは中央に向かって深く傾斜したテーパー上で、最低位置に水抜き孔６ｂが設けられる。水抜き孔６ｂは２〜５ｍｍ程度の孔として形成される。水抜き孔６ｂの大きさは、給水時に給水量と排水量との差によってしばらく水溜りができるような大きさにされる。これにより、水溜りができている間に栽培ポット７の底穴７ａ（図６、図７参照）と側面の開口部７ｂから水が栽培ポット内の培土と接触して吸収され、給水が行なわれるようにする。また、側面には底面から所定の高さの位置にオーバーフロー孔６ｃが設けられている。このオーバーフロー孔６ｃの位置は、潅水溝から栽培ポット設置部６への流入口よりも低い位置に設定される。このようにすることによって潅水溝３への水や溶液の逆流を防ぐことができ、土壌の病害が蔓延するのを防ぐことができる。栽培ポット設置部６の深さは、１．５ｃｍ程度でも効果があるが、図５のように深くすれば培土と培養液の接触面積が増加し短時間の給水が可能となる。また、栽培ポット７の大部分が給水パネル１に隠れて影になるため、栽培ポットの温度が上がりにくくなる。
【００４２】
また、底面潅水用給水パネル１には、図２に示すように、栽培ポット設置部６近傍と潅水溝３の近傍を除く領域に通気用貫通孔１０が設けられている。通気用貫通孔１０は、隣接し合う栽培ポット設置部６相互の中央に位置するように配置されていて、種苗の下部が蒸れるのを防ぎ、病気の発生を防ぐことができる。なお、通気用貫通孔１０にメッシュを付設すれば、給水パネル１の下面から農薬散布を行い、葉の裏に潜んだ害虫を駆除するのに便利である。
【００４３】
底面潅水用給水パネル１は、耐水性を備えるポリプロピレン、ポリエチレンテレフタレート、発泡スチロール等の合成樹脂材や合成紙など、所定の横幅、長さ及び厚みを有する矩形状で板状のパネル２をプレス加工して成型される。潅水溝３、栽培ポット設置部６、水抜き孔６ｂ、通気用貫通孔１０、点滴受け溝９等はこのときに一体成形される。その他のパネル２の材料として、バイオポリマー、生分解性ポリマー等を使用しても指し支えない。尚、パネル素材は、培土を入れた栽培ポット７や給水チューブ４の重みに耐える強度を有するものでなければならい。
【００４４】
次に、栽培ポット７について主に図６及び図７を参照して詳しく説明する。栽培ポット設置部６に載置される栽培ポット７は、胴部と底部が一体に形成され上部が開口した鉢形の構造を有し、底面７ａに排水孔７ｂが設けられ、底面７ａから立設する側壁には潅水用の孔７ｃ（図６）、又はスリット７ｄ（図７）が設けられている。孔７ｃは、側壁の所定高さの位置に設けられ、スリット７ｄは底面から側壁の所定高さの位置まで連続的に設けられる。これらの孔７ｃ又はスリット７ｄにより急速な潅水が可能となる。栽培ポット７の胴部には波形形状の凹凸が設けられることがある。また、胴部の上縁には側方に張り出した補強用のフランジが形成される場合もある。栽培ポット７の中は培土が満たされ、イチゴ等の育成すべき苗が植えられる。栽培ポット７は、開口部を有するため、通気性が良好となり根の生育が促される。さらに、開口部が光にさらされるため、根巻き、すなわちルートキャップが防止され、定植後における苗の活着がスムーズになり、生育の遅延を防止できる。
【００４５】
次に、この底面潅水用給水パネル１を使用する栽培システムについて詳しく説明する。給水パネル１を使用する栽培システムは、給水パネル１に設けられた複数の栽培ポット設置部６に前記の栽培ポット７を載置し、各ドロッパー５に給水チューブ４を接続し、給水チューブ４を介して間断的にドロッパーから培養液、給水液を潅水溝３に流し、潅水溝３から栽培ポット７に供給するように制御することによって、栽培ポット７に植えられた植物の育成栽培を行う。底面給水を行なう従来の水耕栽培が、基本的には土を使用せず、水を媒体とする養分を含んだ培養液で人工的に積極的なコントロールのもとで花卉や野菜を栽培するのに対して、本発明の間断式底面潅水給水栽培システムは、培土を入れたポットを使用し、給水は根腐れを避けるために、必要なときに間断的に底面からの潅水で行なうものである。本発明においては、供給される培養液の量は栽培ポット設置部６の大きさ（断面積）と液の深さと排液速度から計算されるもので、所定時間経過すると栽培ポット７の底面７ａが培養液に触れなくなるような量であればよく、培養液の無駄が無くなり、このため培養液の使用量を大幅に節減できる。
【００４６】
この栽培システムにおいては、図３のように、図１の給水パネル１を複数枚連結して使用することが可能である。尚、図３においては３枚の給水パネル１ａ、１ｂ、１ｃがその側端同士を連結して使用されている。給水チューブ４は複数枚の給水パネル１にまたがって配置され、図３では４系統のポリエチレン製の給水チューブ４が３枚の給水パネル１ａ、１ｂ、１ｃにまたがるように配管されていて、それぞれの給水チューブ４の一端部にはボールバルブ１１、他端には残留液を排出するためのフラッシングバルブ１２が取り付けられている。また、給水チューブ４の途中にバルブを設けておくと、それから先の給液を停止することができるので便利である。
【００４７】
この栽培システムにおいて、給水パネル１は、図８に示したように、所定高さの高架床台８上に載置されて使用されるが、その場合給水パネル１の下方を覆うように排水受け１３を設けて使用すると、架台の下に生える雑草などを減らすことができる。排水受けは、図８に示したような合成樹脂のシートを利用した簡単なものでよい。具体的には、高架床台８の下に断面が三角形の袋状になるように傾斜を付けたシートを張り、三角形の頂点に重しとなる直管１４などを入れて、給水パネル１から漏れた水がシートの端から排水されるようにする。このような排水受け１３を付加すると、給水パネル１の下に培土や余水がこぼれるのを防ぎ、それによって生える雑草を減らし、雑草の種子が栽培ポット７に進入するのを防ぐとともに雑草が害虫の発生源となるのを防止できる。
【００４８】
高架床台８には給水パネル１を一枚だけでも、又複数枚連結してでも載置して使用できる。給水チューブ４に供給液を送出するための給水ポンプは、家庭園芸などで給水パネル１を一枚または少数枚で使用する場合のように小規模な場合には、簡単なものでよい。また、給水パネル１を多数連結するような大規模栽培の場合には、給水手段として貯水槽や給水ポンプなどの装置を設けるが、この場合も間断運転であるため電気代等の運転費用は大幅に節約できる。
【００４９】
この栽培システムにおいて、潅水はタイマー付電磁弁にプログラム設定することによって自動的に行なうことができる。このプログラムは、季節、天候、生育ステージ、品目ごとの水の要求量などによって水量をコントロールできるように設定される。
【００５０】
この栽培システムによると、給水パネル１自体の材料費は安く、成形加工も簡単であるので、栽培システムの設置価格は極めて安価である。また、使用する培養液の量は、水耕栽培のように大規模な水槽に満たした培養液を常時循環させるものではなく、給水パネル１に形成された潅水溝３から栽培ポット設置部６に、それも栽培ポット７の底面７ａが一時的に浸る程度に培養液を流せばよいので、極めて少なくてすむ。さらに、給水は間断的に流しきりで行なえばよいので、大規模な循環装置などは不要であり、電気代もかからない。
【００５１】
以上、図面を参照して本発明の実施例を説明した。以上に示したような間断式底面潅水用給水パネルを使用すれば、安価なパネルと栽培ポットが供給されることにより、設備費が安価になり、また使用する培養液を少なくすることができ維持費が安価ですむ経済的な栽培システムを提供できる。
【図面の簡単な説明】
【００５２】
【図１】図１は本発明に係る底面潅水栽培方法の１実施例に使用する給水パネルの平面図である。
【図２】図２は本発明に係る底面潅水栽培方法の他の実施例に使用する給水パネルの平面図である
【図３】図３は図１の底面給水栽培用給水パネルを複数枚連結して使用するさらに他の実施例の平面図である。
【図４】図４は栽培ポット設置部の構造を説明する実施例断面図である。
【図５】図５は栽培ポット設置部の構造を説明する他の実施例断面図である。
【図６】図６は栽培ポットの構造を説明する側面図及び底面図である。
【図７】図７は栽培ポットの構造を説明する側面図及び底面図である。
【図８】図８は本発明の栽培システムにおける排水受けの一実施例説明図である。
【図９】図９は従来の滴下栽培方法の説明図である。
【符号の説明】
【００５３】
１                      （底面潅水用）給水パネル
２                      パネル
３、３ａ、３ｂ、３ｃ…  潅水溝
４、４ａ、４ｂ、４ｃ…  給水チューブ
５                      ドロッパー
６                      栽培ポット設置部
７                      栽培ポット
８                      高架床台
９                      点滴受け溝
１０                    通気用貫通孔
１１                    ボールバルブ
１２                    フラッシングバルブ
【図１】
2008220266.tif 000003
【図２】
2008220266.tif 000004
【図３】
2008220266.tif 000005
【図４】
2008220266.tif 000006
【図５】
2008220266.tif 000007
【図６】
2008220266.tif 000008
【図７】
2008220266.tif 000009
【図８】
2008220266.tif 000010
【図９】
2008220266.tif 000011